(57)【特許請求の範囲】
【請求項１】
調整可能な押圧力でもって１つの搬送ローラ（９）上に押し当て可能で、回転可能に支持されたタイミングローラ（８）を少なくとも１つ有し、前記タイミングローラ（８）はばね部材（１３）の端部に設けられている、周期的な往復回転動作を行う１つの軸（３３）上に軸方向に移動可能に設けられている、枚葉紙処理機械において紙葉（５）を搬送する装置において、
前記軸（３３）が複数の決められた位置に止め用の切り欠き（３７）を有し、前記装置に、各切り欠きに対応する止め機構（３１）が設けられていることを特徴とする、枚葉紙処理機械において紙葉を搬送する装置。
【請求項２】
回転可能に支持されたタイミングローラ（８）が、紙葉搬送方向に対して斜めに前記搬送ローラ（９）上に載っている、請求項１記載の装置。
【請求項３】
前記ばね部材（１３）が、予め定められた撓み曲線を有する１つのばね板（１３）である、請求項１記載の装置。
【請求項４】
前記軸（３３）上に前記装置の固定装置として、ねじ（２６）によって前記軸（３３）上のノッチ（２８）に押し込まれる１つの棒（２７）が設けられている、請求項１から３のいずれか１項に記載の装置。
【請求項５】
前記軸（３３）上に前記装置の固定装置として、１つの急速締付け装置が設けられている、請求項１から４のいずれか１項に記載の装置。
【請求項６】
前記タイミングローラ（８）が、２つの軸受板（１５）の中で回転可能に支持され、該タイミングローラ（８）を支持し、前記ばね板（１３）と連結している両方の前記軸受板（１５）が突出部を有し、該突出部は、下方領域に、前記タイミングローラ（８）の直径を超えて張り出している、請求項１から５のいずれか１項に記載の装置。
【発明の詳細な説明】
【０００１】
【産業上の利用分野】
本発明は、特許請求の範囲の請求項１の前提部に記載のとおりの、枚葉紙処理機械の中へ紙葉を搬送する装置に関する。
【０００２】
【従来の技術】
個別紙葉用の給紙装置の場合には、紙葉パイルの最も上に来た紙葉が、前縁の領域において吸引棒によって把握され、他の紙葉から離されて、タイミングローラと搬送ローラの間に入れられ、そこから、紙葉案内装置を経て、枚葉紙処理機械の一つの胴のくわえ爪へと供給される。タイミングローラは、周期的な回転動作を行う軸上に剛性的に固定された、軸方向に延びていて一定の間隔で複数のゴムリングを担持してる１本のローラか、または複数の個別ローラである。その周期的動作自体は、タイミングローラが、紙葉を吸引棒から受け取ったときに搬送ローラの上に載り、胴のくわえ爪が紙葉を把握するや否や、搬送ローラから離される、というように行われる。この、胴のくわえ爪が紙葉を把握するや否やタイミングローラが搬送ローラから離されるということは、紙葉がくわえ爪によって自由に持ち去られ得ることを意味する。
【０００３】
枚葉紙処理機械の胴への、紙葉の問題のない搬送を確実にするために、タイミングローラは、印刷機の速度よりも高い速度で作動する。紙葉がくわえ爪のストッパに追い付き得て、それにより、それらストッパで正しく揃えられるためには、この、より高い速度が必要なのである。
【０００４】
最適な紙葉搬送のためには、吸引器の速度と搬送ローラの速度が、最適に相互に同期していなければならない。最適な紙葉搬送は、吸引器が、紙葉搬送方向に行われる揺動運動の間に、タイミングローラの作動領域内まで揺動し得る場合にのみ達成され得る。軸方向に延びた１本のローラを用いる場合には、このことが不可能であり、したがって、吸引器の周期的動作と、タイミングローラの周期的動作の最適な同期は断念されねばならない。
【０００５】
ある印刷機においては、相異なるフォーマット、相異なる品質の紙葉が処理される。種々の要求を満たすためには、搬送ローラに対するタイミングローラの調整が可能でなければならない。軸方向に延びた１本のローラの代わりに複数の個別のローラが用いられるのであれば、それら個別のローラの、ある決まった軸方向の移動が必要とされる。このようにしてのみ、要求される速度と、要求される正確さをもっての、枚葉紙処理機械への紙葉の供給が達成され得る。
【０００６】
【発明が解決しようとする課題】
本発明の目的は、でき方がどんなに異なった紙葉でも、枚葉紙処理機械への供給が保証されるような紙葉搬送装置を提供することにある。
【０００７】
【課題を解決するための手段】
この目的は、本発明によれば、軸が複数の決められた位置に止め用の切り欠きを有し、各切り欠きに対応する止め機構が設けられている、ことによって構成される。
【０００９】
特に簡単でコスト的に有利な一つの構造では、ばね部材が、予め決められた撓み曲線を有する一つのばね板である。このばね板の撓み曲線は、押圧力がある決まった範囲内で変えられ得るように、計算されたものである。特には、この範囲は、処理されるべき紙の種類のすべてのものが問題なしに印刷機の中に搬入されるように選択される。
【００１１】
ある枚葉紙処理機械において、特に、ある印刷機においては、どんなフォーマットでも印刷される。この要求を満たすために、個々のタイミングローラが、軸上に移動可能に支持されている。タイミングローラが軸方向に位置調節され得ることは、既に印刷された紙葉が改めて枚葉紙処理機械に供給されねばならない場合には、特に大いに有利である。既に印刷された表面の損傷を避けるために、この本発明の有利な発展態様における個々のタイミングローラは、印刷のない領域に位置決めされ得る。既に前述したように、吸引器が、最適の速度で、妨害されることなくタイミングローラの作動領域に貫入するように揺動し得ることが必要である。吸引器との衝突が起こらないように、タイミングローラを位置決めすることができる。
【００１２】
装置、つまりタイミングローラの（一つまたは複数）は、紙葉の供給の間には、固定装置によって軸に固定されている、一つの有利な実施態様によれば、装置のための取外し固定装置として、ねじによって軸上のノッチの中に押し込まれる１つの棒が設けられている。
【００１３】
上記の固定装置の代わりに、急速締付け装置が設けられてもよい。調整用ねじを決まった調整量だけ動かすことによって、種々のタイミングローラの位置決めを、搬送ローラに対して、平行的かつ均等的に行うことができる。このことは特に重要である。なぜならば、すべてのタイミングローラの均等な押圧力の下でのみ最適な紙葉搬送が達成されるからである。調整用ねじには、例えば、調整用ねじの回転角度に、回転可能に支持されたローラの決まった高さ調整量を従属させるような、一つの目盛がつけられている。調整用ねじを所望の位置で固定するために、止め用要素、つまり、止め用ばねが設けられている。
【００１４】
本発明による装置の一つの有利な発展態様によれば、ローラが、２つの軸受板の中で回転可能に支持され、ローラを支持しばね板と連続している両方の軸受板が突出部を有し、突出部は下部領域に、ローラの直径を超えて振り出している。このような構造によれば、タイミングローラが軸上で移動させられたときに、たまたま紙葉案内装置の縁に当たったとしても、ゴム被覆の損傷は回避される。
【００１５】
薄い紙葉の搬送の際には特別な問題が生ずる。なぜならば、そのような紙葉は、特に高速での供給の際に、しわになる傾向があるからである。しわにならない搬送を確実にするために、本発明の一つの有利な発展態様によれば、回転可能に支持されたローラが、紙葉搬送方向に対して斜めに搬送ローラ上に載っている。このことにより、紙葉搬送方向に対して直角の方向に力が紙葉に及ぼされる。つまり、紙葉は外側に向けて引っ張られる。純構造的には、タイミングローラの斜め位置の設定は、ばね板を紙葉搬送方向に対して斜めに位置決めすることによって達成され得る。
【００１６】
【実施例】
以降においては、図面を用いて本発明の実施例を詳しく説明する。図１は、ある印刷機の給紙領域の断面図が示されている。図１は特に、本発明による紙葉搬送装置１の側面図を示している。特に図示はしていない紙葉パイルの最も上の紙葉５が、軸７上に配置された吸引器６によって、前縁領域において把握され、他の紙葉から離され、軸７の揺動運動によって紙葉搬送方向に、紙葉搬送装置１のタイミングローラ８と搬送ローラ９の間に搬送される。軸７の周期的動作とタイミングローラ８の周期的動作は、吸引器６が紙葉５を、遅くとも揺動運動の反転時においては解放するように相互間で、同期されている。タイミングローラ８は、押圧力の下で搬送ローラ９上を転動し、紙葉５を、上側の紙葉案内装置３と下側の紙葉案内装置４で成る紙葉案内装置２を通し、くわえ爪のストッパ１０へと押し進める。くわえ爪のストッパ１０での紙葉５の正確な載り方を達成するために、紙葉５は、くわえ爪のストッパ１０へと搬送され、そして膨れ上がった形になり、そこで紙葉は、くわえ爪のストッパ１０に見当正しく揃えられる。くわえ爪１１が紙葉の前縁を把握するや否や、タイミングローラ８は搬送ローラ９から引上げられる。したがって、くわえ爪が閉じた後には、紙葉５は完全に自由であり、機械の速度で動かされ得る。くわえ爪１１とくわえ爪ストッパ１０は、公知のとおり、特に図示はされていない印刷機の胴１２の中に配置されている。
【００１７】
紙葉搬送装置１は、二つの軸受レバー１９と一つの固定用機構２６，２７，２８によって軸３３上に回転不能に固定されている。紙葉搬送装置１の主要な構成部品は、初期応力をもった一つのばね板１３、一つの調整ねじ１４，および軸受板１５で回転可能に支持されているタイミングローラ８である。タイミングローラ８は、ゴム被覆１７を担持している玉軸受１６で成っている。上側の案内装置３の縁との衝突の際にゴム被覆１７が損傷するのを回避するために、軸受板１５は下方領域に突出部１８を有している。ばね板１３は、前方領域において、二つのねじ２１によって軸受レバー１９に連結されている。ワッシャ２２がばね板１３のある決まった撓み曲線を保証する。タイミングローラ８の中心点の上方で、ばね板１３に一つの調整ねじ１４が取り付けられている。目盛２４を担持している調整ねじ２３によって、タイミングローラ８の高さが、決められた大きさだけ調節される。
【００１８】
前述したように、紙葉搬送装置１は、軸３３の一つの止め位置において固定用機構によって固定される。この固定用機構は、軸３３に設けられたノッチ２８と、ちょうねじ２６によってノッチ２８に押し込まれる円筒形の棒２７で成っている。止めボール３１とナット３０によって軸受レバー１９上に固定された板状部品２９は、タイミングローラ８の位置変えの過程において円筒形の棒２７が横に外れることがないようにしている。
【００１９】
印刷プロセスの開始時には、紙葉搬送装置１が、そのとき処理されるべき紙の種類に対して設定される。つまり、タイミングローラ８のゴム被覆１７と搬送ローラ９の間の押圧力が、搬送されるべき紙葉５の厚さに応じて選定される。場合々々の最適な設定が、調整ねじ１４の頭部２３上の目盛２４を用いて、問題なしに見出だされ得る。紙葉搬送装置１の周期的動作、つまり、搬送ローラ９上でのタイミングローラ８の離脱と圧着は、公知の方法で、カム制御によって行われている。このために、軸３３は一つのレバー３４に剛性的に結合されている。レバー３４の下方領域にはローラ４８が取り付けられていて、そのローラがカム３６上を転動する。
【００２０】
図２は、本発明による紙葉搬送装置１の配置の上面図を示している。
【００２１】
下側の紙葉案内装置４が、固定手段によって、側方部材３８，３９と結合されている。下側の紙葉案内装置４の上に、上側の紙葉案内装置３がねじ止めされている。上側の紙葉案内装置３を清掃のために問題なしに取り外しできるように、ねじ５７は、ぎざぎざ頭のねじの形にされている。上側の紙葉案内装置３は、その前方領域にも後方領域にも、切り欠き部４０，４１を有している。上側の紙葉案内装置３の前方領域にある切り欠き４１には、くわえ爪１１が噛み込む。上側の紙葉案内装置３の後方領域にある切り欠き４０は、紙葉搬送装置１のタイミングローラ８のための場所を形作っている。切り欠き４０の縁は、斜めになっているのが望ましい。このようにすることにより、紙葉５が縁に引っ掛かるという恐れが少なくなる。
【００２２】
図１との関係で既に説明したように、紙葉搬送装置１は、軸３３上に取外し可能に固定されている。各紙葉搬送装置１の位置決めは、軸３３上の止め用切り欠き３７で決まる複数の位置のそれぞれで行なわれる。それら複数の位置は、それら位置が別の軸７上に固定された複数の吸引器６と、隙間に入る関係になるように選定されている。このような特別な配置によって、どんな運転状態の場合でも、吸引器６とタイミングローラ８の衝突は回避されることになる。
【００２３】
軸３３上で紙葉搬送装置を位置変えするためには、ちょうねじ２６を緩め、それに続けて、紙葉搬送装置１を、それが上側の紙葉案内装置３の部品と衝突しないように、少し揺動させることによって後方領域において持ち上げる。その紙葉搬送装置１の揺動は、軸受レバー１９の前方領域にある鼻先部３２によって限定されている。
【００２４】
軸３３の両端にある径の小さい軸ピンは、運転側では側方部材３８の中で支持されている。駆動側では、軸３３が側方部材３９を貫通し、一つの軸受部材４２の中で支持されている。軸３３の軸方向の移動は、ストッパ４５と位置決めリング４７によって阻止されている。軸３３の軸ピンは、駆動側においては、レバー３４と剛性的に結合されている。レバー３４の下方領域には一つのカムローラ４８がねじ止めされている。レバー３４は、ばね４４によって、カム３６の方へと引き付けられている。
【図面の簡単な説明】
【図１】  本発明による紙葉搬送装置の側面とともに、印刷機の給紙領域を示す断面図である。
【図２】  図１に示した紙葉搬送装置の配置の上面図である。
【符号の説明】
１    紙葉搬送装置
２    紙葉案内装置
３    上側の紙葉案内装置
４    下側の紙葉案内装置
５    紙葉
６    吸引器
７    軸
８    タイミングローラ
９    搬送ローラ
１０    くわえ爪ストッパ
１１    くわえ爪
１２    胴
１３    ばね板
１４    調整ねじ
１５    軸受板
１６    玉軸受
１７    ゴム被覆
１８    突出部
１９    軸受レバー
２０    ねじ
２１    ねじ
２２    ワッシャ
２３    調整ねじ１４の頭部
２４    目盛
２５    止まりばね
２６    ちょうねじ
２７    円筒形の棒
２８    ノッチ
２９    板状部品
３０    ナット
３１    止めボール
３２    鼻先部
３３    軸
３４    レバー
３５    ボルト
３６    カム
３７    止め用切り欠き
３８    側方部材
３９    側方部材
４０    切り欠き部
４１    切り欠き部
４２    軸受部材
４３    ばね用ボルト
４４    ばね
４５    ストッパ
４６    円板
４７    位置決めリング
４８    カムローラ
【図１】
0003655663.tif 000002
【図２】
0003655663.tif 000003